(57)【要約】      （修正有）【課題】電池残量から撮像可能な枚数を表示する撮像装置の提供。【解決手段】電池から供給される電力で動作する撮像装置において、一枚の画像を撮像するに要する平均時間と、その時の電池電圧の変化分を検出、演算する事で、電池の残容量から撮像可能な枚数表示を安価で簡易に実現できる撮像装置。【選択図】        図１０
2006173709.tif 000002
【特許請求の範囲】
【請求項１】
電池から供給される電力で動作する撮像装置において、該撮像装置は、前記電池電圧値の時間変化と、一枚の画像を撮像するに要する平均時間とから、撮像可能枚数を表示する事を特徴とする撮像装置。
【請求項２】
電池から供給される電力で動作する撮像装置において、該撮像装置は、前記電池電圧値を検出する第一の検出手段と、
該第一の検出手段からの電池電圧値の、単位時間当たりの変化分を演算する第一の演算手段と、
撮像してから次に撮像するまでの時間をカウントするカウント手段と、
該カウント手段から一枚の画像を撮像するに要する平均時間を演算する第二の演算手段と、
該第二の演算手段からの撮像平均所要時間と、前記第一の演算手段からの電池電圧値の単位時間当たりの変化分から、一枚の画像を撮像するに要する電池電圧値の変化分を演算する第三の演算手段と、
該第三の演算手段からの一枚の画像を撮像するに要する電池電圧値の変化分と、前記第一の検出手段からの電池電圧値と、予め設定された低電圧設定値から、撮像可能枚数を演算する第四の演算手段と、
前記第四の演算手段からの撮像可能枚数を表示する表示手段を備えたことを特徴とする撮像装置。
【請求項３】
電池から供給される電力で動作する撮像装置において、該撮像装置は、前記電池電圧値を検出する第一の検出手段と、
該第一の検出手段からの電池電圧値の、単位時間当たりの変化分を演算する第一の演算手段と、
撮像してから次に撮像するまでの一枚当たりの撮像平均所要時間を予め設定する第一の設定手段と、
該第一の設定手段からの撮像平均所要時間と、前記第一の演算手段からの電池電圧値の単位時間当たりの変化分から、一枚の画像を撮像するに要する電池電圧値の変化分を演算する第三の演算手段と、
該第三の演算手段からの一枚の画像を撮像するに要する電池電圧値の変化分と、前記第一の検出手段からの電池電圧値と、予め設定された低電圧設定値から、撮像可能枚数を演算する第四の演算手段と、
前記第四の演算手段からの撮像可能枚数を表示する表示手段を備えたことを特徴とする撮像装置。
【請求項４】
画像を記録する記録媒体の空き容量を検知する検知手段と、該検知手段により、前記記録媒体に記録可能な枚数を演算する第五の演算手段と、該第五の演算手段からの記録可能な枚数を表示する第一の表示手段と、前記第二の演算手段で演算した、または第一の設定手段で設定した一枚の画像を撮像するに要する平均時間と、その時の電池電圧変化分を検出、演算する事で、電池の残容量から撮像可能枚数を表示する第二の表示手段とを有する事を特徴とする請求項２又は３に記載の撮像装置。
【請求項５】
前記第一の表示手段と前記第二の表示手段との表示を切り替える事ができる事を特徴とする請求項４に記載の撮像装置。
【請求項６】
前記第一の表示手段と前記第二の表示手段を同時に表示する事ができる事を特徴とする請求項４に記載の撮像装置。
【請求項７】
前記第一の表示手段と前記第二の表示手段の切り替え表示と、前記第一の表示手段と前記第二の表示手段の同時表示とを、任意に選択する事ができる事を特徴とする請求項４に記載の撮像装置。
【発明の詳細な説明】
【技術分野】
【０００１】
本発明は、電池から供給される電力で動作する撮像装置において、一枚の画像を撮像するに要する平均時間と、その時の電池電圧の変化分を検出、演算する事で、電池の残容量から撮像可能な枚数表示を安価で簡易に実現できる撮像装置に関するものである。
【背景技術】
【０００２】
従来、撮像装置の枚数表示方法は、例えば特許文献１のように、設定されている画像の解像度、サイズ、圧縮レベルなどを検知し、記録媒体の空き容量を検知し、記録しようとする画像の容量と、記録媒体の空き容量とを比較、演算し、記録可能な撮像枚数を表示していた。
【特許文献１】特開平０５−０２８７２６号公報
【発明の開示】
【発明が解決しようとする課題】
【０００３】
電池から供給される電力で動作する撮像装置において、撮像した画像を記録媒体に記録するために必要不可欠な条件は、（１）電池容量が十分にある事、（２）記録媒体の空き容量が十分にある事、の２点である。仮に、記録媒体の空き容量は十分にあるが、電池が消耗している（（２）の条件は満たしているが、（１）の条件を満たしていない）場合は、上記従来の技術では、電池の充電を必要としている事を知らせる表示手段と、記録媒体の空き容量に記録可能な撮像枚数を表示する表示手段のみで、電池の残容量から撮像可能な枚数を表示する事はできないために、正確な撮像可能枚数を表示できないという課題があった。
【０００４】
本願の請求項１に記載した発明では、電池の残容量から撮像枚数表示ができる撮像装置を提供する事を第一の目的とする。
【０００５】
本願の請求項２に記載した発明では、一枚撮像するのに要する平均時間を撮像装置が検出、演算し、その時間の電池電圧変化分を検出、演算する事で、安価で簡易に電池の残容量から撮像可能な枚数を表示する撮像装置を提供する事を第二の目的とする。
【０００６】
本願の請求項３に記載した発明では、一枚撮像するのに要する平均時間を予めユーザーが設定し、その時間の電池電圧変化分を検出、演算する事で、安価で簡易に電池の残容量から撮像可能な枚数を表示する撮像装置を提供する事を第三の目的とする。
【０００７】
本願の請求項４に記載した発明では、記録媒体に記録可能な枚数表示手段と、上述した電池の残容量から撮像可能な枚数表示手段とを有し、より正確な撮像可能枚数を表示できる撮像装置を提供する事を第四の目的とする。
【０００８】
本願の請求項５に記載した発明では、上述した記録媒体からの枚数表示手段と、上述した電池容量からの枚数表示手段とを、ユーザーが任意に切り替え可能で、枚数表示箇所の面積が小さくて済む撮像装置を提供する事を第五の目的とする。
【０００９】
本願の請求項６に記載した発明では、上述した記録媒体からの枚数表示手段と、上述した電池容量からの枚数表示手段を同時に表示する事で、煩わしい切り替え操作を必要とせずに、ユーザーに撮像可能枚数を明確にする撮像装置を提供する事を第六の目的とする。
【００１０】
本願の請求項７に記載した発明では、上述した記録媒体からの枚数表示手段と、上述した電池容量からの枚数表示手段の切り替え表示と、上述した記録媒体からの枚数表示手段と、上述した電池容量からの枚数表示手段の同時表示を、ユーザーが任意に選択できる事で、ユーザーのニーズに合った撮像可能枚数を表示できる撮像装置を提供する事を第七の目的とする。
【課題を解決するための手段】
【００１１】
この発明は下記の構成を備えることにより上記課題を解決できるものである。
【００１２】
（１）電池から供給される電力で動作する撮像装置において、該撮像装置は、前記電池電圧値の時間変化と、一枚の画像を撮像するに要する平均時間とから、撮像可能枚数を表示する撮像装置。
【００１３】
（２）電池から供給される電力で動作する撮像装置において、該撮像装置は、前記電池電圧値を検出する第一の検出手段と、
該第一の検出手段からの電池電圧値の、単位時間当たりの変化分を演算する第一の演算手段と、
撮像してから次に撮像するまでの時間をカウントするカウント手段と、
該カウント手段から一枚の画像を撮像するに要する平均時間を演算する第二の演算手段と、
該第二の演算手段からの撮像平均所要時間と、前記第一の演算手段からの電池電圧値の単位時間当たりの変化分から、一枚の画像を撮像するに要する電池電圧値の変化分を演算する第三の演算手段と、
該第三の演算手段からの一枚の画像を撮像するに要する電池電圧値の変化分と、前記第一の検出手段からの電池電圧値と、予め設定された低電圧設定値から、撮像可能枚数を演算する第四の演算手段と、
前記第四の演算手段からの撮像可能枚数を表示する表示手段を備えた撮像装置。
【００１４】
（３）電池から供給される電力で動作する撮像装置において、該撮像装置は、前記電池電圧値を検出する第一の検出手段と、
該第一の検出手段からの電池電圧値の、単位時間当たりの変化分を演算する第一の演算手段と、
撮像してから次に撮像するまでの一枚当たりの撮像平均所要時間を予め設定する第一の設定手段と、
該第一の設定手段からの撮像平均所要時間と、前記第一の演算手段からの電池電圧値の単位時間当たりの変化分から、一枚の画像を撮像するに要する電池電圧値の変化分を演算する第三の演算手段と、
該第三の演算手段からの一枚の画像を撮像するに要する電池電圧値の変化分と、前記第一の検出手段からの電池電圧値と、予め設定された低電圧設定値から、撮像可能枚数を演算する第四の演算手段と、
前記第四の演算手段からの撮像可能枚数を表示する表示手段を備えた撮像装置。
【００１５】
（４）画像を記録する記録媒体の空き容量を検知する検知手段と、該検知手段により、前記記録媒体に記録可能な枚数を演算する第五の演算手段と、該第五の演算手段からの記録可能な枚数を表示する第一の表示手段と、前記第二の演算手段で演算した、または第一の設定手段で設定した一枚の画像を撮像するに要する平均時間と、その時の電池電圧変化分を検出、演算する事で、電池の残容量から撮像可能枚数を表示する第二の表示手段とを有する前記（２）又は（３）に記載の撮像装置。
【００１６】
（５）前記第一の表示手段と前記第二の表示手段との表示を切り替える事ができる前記（４）に記載の撮像装置。
【００１７】
（６）前記第一の表示手段と前記第二の表示手段を同時に表示する事ができる前記（４）に記載の撮像装置。
【００１８】
（７）前記第一の表示手段と前記第二の表示手段の切り替え表示と、前記第一の表示手段と前記第二の表示手段の同時表示とを、任意に選択する事ができる前記（４）に記載の撮像装置。
【発明の効果】
【００１９】
本願の請求項１に記載した発明では、電池の残容量から撮像枚数表示ができる撮像装置を提供する事ができる。
【００２０】
本願の請求項２に記載した発明では、一枚撮影するのに要する平均時間を撮像装置が検出、演算し、その時間の電池電圧変化分を検出、演算する事で、安価で簡易に電池の残容量から撮像可能な枚数を表示する撮像装置を提供する事ができる。
【００２１】
本願の請求項３に記載した発明では、一枚撮像するのに要する平均時間を予めユーザーが設定し、その時間の電池電圧変化分を検出、演算する事で、安価で簡易に電池の残容量から撮像可能な枚数を表示する撮像装置を提供する事ができる。
【００２２】
本願の請求項４に記載した発明では、記録媒体に記録可能な枚数表示手段と、上述した電池の残容量から撮像可能な枚数表示手段とを有した撮像装置を提供する事ができる。
【００２３】
本願の請求項５に記載した発明では、上述した記録媒体からの枚数表示手段と、上述した電池容量からの枚数表示手段とを、ユーザーが任意に切り替え可能で、枚数表示個所の面積が小さくて済む撮像装置を提供する事ができる。
【００２４】
本願の請求項６に記載した発明では、上述した記録媒体からの枚数表示手段と、上述した電池容量からの枚数表示手段を同時に表示する事で、ユーザーに撮像可能な情報を明確にする撮像装置を提供する事ができる。
【００２５】
本願の請求項７に記載した発明では、上述した記録媒体からの枚数表示手段と、上述した電池容量からの枚数表示手段の切り替え表示と、上述した記録媒体からの枚数表示手段と、上述した電池容量からの枚数表示手段の同時表示を、ユーザーが任意に選択できる事で、ユーザーのニーズに合った撮像装置を提供する事ができる。
【発明を実施するための最良の形態】
【００２６】
以下本発明を実施するための最良の形態を、実施例により詳しく説明する。
【実施例】
【００２７】
１は、第一の実施例のブロック図である。
【００２８】
図１において、１０は本発明の撮像が可能な枚数を表示する撮像装置の表示部、１１は電池１２の電圧値の時間変化と、一枚の画像を撮像するに要する平均時間とから、撮像可能枚数を演算するコントローラ、１２はこの撮像装置の電源であるところの電池である。
【００２９】
図２は、第二の実施例のブロック図である。
【００３０】
図２において、１００は本発明の撮影が可能な枚数を表示する撮像装置の表示部、１０１は撮像装置の電源のＯＮ／ＯＦＦを切り替えるスイッチ、１０２は撮像する際のシャッタースイッチ、１０３は電源スイッチ１０１の監視と、電池１０４の電圧検出手段と、前記請求項２の第一から第四の演算手段と、シャッタースイッチ１０２のレリーズの監視を司るコントローラ、１０４はこの撮像装置の電源であるところの電池である。
【００３１】
図３は、第三の実施例のブロック図である。
【００３２】
図３において、２００は本発明の撮像が可能な枚数を表示する撮像装置の表示部、２０１は撮像装置の電源のＯＮ／ＯＦＦを切り替えるスイッチ、２０２は撮像する際のシャッタースイッチ、２０３は撮像してから次に撮像するまでの一枚当たりの撮像平均所要時間を予めユーザー設定する設定装置、２０４は電源スイッチ２０１の監視と、電池２０５の電圧検出手段と、前記請求項３の第一から第四の演算手段と、シャッタースイッチ２０２のレリーズの監視を司るコントローラ、２０５はこの撮像装置の電源であるところの電池である。
【００３３】
図４は、第四の実施例のブロック図である。
【００３４】
図４において、６００は撮像が可能な枚数を表示する撮像装置の表示部、６０１は撮像した画像を記録する記録媒体、６０２は記録媒体６０１の空き容量を検知し、記録媒体６０１に記録可能な枚数を演算するコントローラ、６０３はこの撮像装置の電源であるところの電池である。
【００３５】
図５は、第五の実施例のブロック図である。
【００３６】
図５において、７００は撮像が可能な枚数を表示する撮像装置の表示部、７０１は撮像装置の電源のＯＮ／ＯＦＦを切り替えるスイッチ、７０２は撮像する際のシャッタースイッチ、７０３は記録媒体７０４の空き容量を検知し、記録媒体７０４に記録可能な枚数を演算し、電源スイッチ７０１の監視と、電池７０５の電圧検出手段と、前記請求項２の第一から第四の演算手段と、シャッタースイッチ７０２のレリーズの監視を司るコントローラ、７０４は撮像した画像を記録する記録媒体、７０５はこの撮像装置の電源であるところの電池である。
【００３７】
図６は、第六の実施例のブロック図である。
【００３８】
図６において、８００は撮像が可能な枚数を表示する撮像装置の表示部、８０１は撮像装置の電源のＯＮ／ＯＦＦを切り替えるスイッチ、８０２は撮像する際のシャッタースイッチ、８０３は記録媒体８０６の空き容量を検知し、記録媒体８０６に記録可能な枚数を演算し、電源スイッチ８０１の監視と、電池８０５の電圧検出手段と、前記請求項３の第一から第四の演算手段と、シャッタースイッチ８０２のレリーズの監視を司るコントローラ、８０４は撮像してから次に撮像するまでの一枚当たりの撮像平均所要時間を予めユーザー設定する設定装置、８０５はこの撮像装置の電源であるところの電池、８０６は撮像した画像を記録する記録媒体である。
【００３９】
図７は、第七の実施例のブロック図である。
【００４０】
図７において、９００は撮像が可能な枚数を表示する撮像装置の表示部、９０１は撮像装置の電源のＯＮ／ＯＦＦを切り替えるスイッチ、９０２は撮像する際のシャッタースイッチ、９０３は記録媒体９０４の空き容量を検知し、記録媒体９０４に記録可能な枚数を演算し、電源スイッチ９０１の監視と、電池９０５の電圧検出手段と、前記請求項２の第一から第四の演算手段と、シャッタースイッチ９０２のレリーズの監視を司るコントローラ、９０４は撮像した画像を記録する記録媒体、９０５はこの撮像装置の電源であるところの電池、９０６は第一の表示手段と第二の表示手段を切り替えるための表示切替装置である。
【００４１】
図８は、第八の実施例のブロック図である。
【００４２】
図８において、１０００は撮像が可能な枚数を表示する撮像装置の表示部、１００１は撮像装置の電源のＯＮ／ＯＦＦを切り替えるスイッチ、１００２は撮像する際のシャッタースイッチ、１００３は記録媒体１００６の空き容量を検知し、記録媒体１００６に記録可能な枚数を演算し、電源スイッチ１００１の監視と、電池１００５の電圧検出手段と、前記請求項３の第一から第四の演算手段と、シャッタースイッチ１００２のレリーズの監視を司るコントローラ、１００４は撮像してから次に撮像するまでの一枚当たりの撮像平均所要時間を予めユーザー設定する設定装置、１００５はこの撮像装置の電源であるところの電池、１００６は撮像した画像を記録する記録媒体、１００７は第一の表示手段と第二の表示手段を切り替えるための表示切替装置である。
【００４３】
図９は、第四の実施例のフローチャート図である。
【００４４】
第四の実施例は、撮像した画像を記録する記録媒体の空き容量をコントローラが検知し、検知した容量と記録しようとする画像の容量を比較し、記録媒体に記録可能な枚数を演算する。演算した記録媒体の空き容量による撮像可能枚数を表示装置に表示する。
【００４５】
図１０は、第二の実施例のフローチャート図である。
【００４６】
第二の実施例は、本願の請求項２に記載の撮像装置であり、電源スイッチをＯＮにするとコントローラが電池の電圧値を検出する。コントローラは常に電池を監視しており、単位時間当たりの電池電圧値の変化分ΔＶ１［Ｖ／ｓｅｃ．］を演算（第一の演算手段）する。コントローラはシャッタースイッチのレリーズも監視しており、撮像してから次に撮像するまでの時間をカウントし、撮像１枚当たりの平均所要時間ΔＴ１［ｓｅｃ．］を演算（第二の演算手段）する。コントローラは、単位時間当たりの電池電圧値の変化分ΔＶ１［Ｖ／ｓｅｃ．］と、撮像１枚当たりの平均所要時間ΔＴ１［ｓｅｃ．］から、撮像１枚当たりの電池電圧値の変化分ΔＶ２［Ｖ］＝ΔＶ１［Ｖ／ｓｅｃ．］×ΔＴ１［ｓｅｃ．］を演算（第三の演算手段）する。この時のコントローラが検出した電池電圧値をＶ３［Ｖ］、予め設定されている低電圧設定値をＶＬＯＷ［Ｖ］、電池の残容量から求めた撮像が可能な枚数をＳ１［枚］とする。コントローラは、Ｓ１［枚］＝（Ｖ３［Ｖ］−ＶＬＯＷ［Ｖ］）／ΔＶ２［Ｖ］と演算（第四の演算手段）し、演算したＳ１［枚］を表示装置に表示する。
【００４７】
図１１は、第三の実施例のフローチャート図である。
【００４８】
第三の実施例は、本願の請求項３に記載の撮像装置であり、電源スイッチをＯＮにするとコントローラが電池の電圧値を検出する。コントローラは常に電池を監視しており、単位時間当たりの電池電圧値の変化分ΔＶ１０［Ｖ／ｓｅｃ．］を演算（第一の演算手段）する。コントローラは、単位時間当たりの電池電圧値の変化分ΔＶ１０［Ｖ／ｓｅｃ．］と、ユーザーが予め設定した撮像１枚当たりの撮像平均所要時間ΔＴ１０［ｓｅｃ．］から、撮像１枚当たりの電池電圧値の変化分ΔＶ２０［Ｖ］＝ΔＶ１０［Ｖ／ｓｅｃ．］×ΔＴ１０［ｓｅｃ．］を演算（第三の演算手段）する。この時のコントローラが検出した電池電圧値をＶ３０［Ｖ］、予め設定されている低電圧設定値をＶＬＯＷ［Ｖ］、電池の残容量から求めた撮像が可能な枚数をＳ２［枚］とする。コントローラは、Ｓ２［枚］＝（Ｖ３０［Ｖ］−ＶＬＯＷ［Ｖ］）／ΔＶ２０［Ｖ］と演算（第四の演算手段）し、演算したＳ２［枚］を表示装置に表示する。
【００４９】
図１２は、第五、第七の実施例のフローチャート図である。
【００５０】
第五の実施例は、撮像した画像を記録する記録媒体の空き容量をコントローラが検知し、検知した容量と記録しようとする画像の容量を比較し、記録媒体に記録可能な枚数を演算する。演算した記録媒体の空き容量による撮像可能枚数を表示装置に表示する。これが第一の表示手段である。また、電源スイッチをＯＮにするとコントローラが電池の電圧値を検出する。コントローラは常に電池を監視しており、単位時間当たりの電池電圧値の変化分ΔＶ４［Ｖ／ｓｅｃ．］を演算（第一の演算手段）する。コントローラはシャッタースイッチのレリーズも監視しており、撮像してから次に撮像するまでの時間をカウントし、撮像１枚当たりの平均所要時間ΔＴ２［ｓｅｃ．］を演算（第二の演算手段）する。コントローラは、単位時間当たりの電池電圧値の変化分ΔＶ４［Ｖ／ｓｅｃ．］と、撮像１枚当たりの平均所要時間ΔＴ１［ｓｅｃ．］から、撮像１枚当たりの電池電圧値の変化分ΔＶ５［Ｖ］＝ΔＶ４［Ｖ／ｓｅｃ．］×ΔＴ２［ｓｅｃ．］を演算（第三の演算手段）する。この時のコントローラが検出した電池電圧値をＶ６［Ｖ］、予め設定されている低電圧設定値をＶＬＯＷ［Ｖ］、電池の残容量から求めた撮像が可能な枚数をＳ１［枚］とする。コントローラは、Ｓ３［枚］＝（Ｖ６［Ｖ］−ＶＬＯＷ［Ｖ］）／ΔＶ５［Ｖ］と演算（第四の演算手段）し、演算したＳ３［枚］を表示装置に表示する。これが第二の表示手段である。第五の実施例においては、第一の表示手段と第二の表示手段を切り替える表示切替装置がない本願の請求項６に記載の撮像装置であり、第一の表示手段と第二の表示手段を同時に表示装置に表示する。
【００５１】
第七の実施例は、撮像した画像を記録する記録媒体の空き容量をコントローラが検知し、検知した容量と記録しようとする画像の容量を比較し、記録媒体に記録可能な枚数を演算する。演算した記録媒体の空き容量による撮像可能枚数を表示装置に表示する。これが第一の表示手段である。また、電源スイッチをＯＮにするとコントローラが電池の電圧値を検出する。コントローラは常に電池を監視しており、単位時間当たりの電池電圧値の変化分ΔＶ４［Ｖ／ｓｅｃ．］を演算（第一の演算手段）する。コントローラはシャッタースイッチのレリーズも監視しており、撮像してから次に撮像するまでの時間をカウントし、撮像１枚当たりの平均所要時間ΔＴ２［ｓｅｃ．］を演算（第二の演算手段）する。コントローラは、単位時間当たりの電池電圧値の変化分ΔＶ４［Ｖ／ｓｅｃ．］と、撮像１枚当たりの平均所要時間ΔＴ２［ｓｅｃ．］から、撮像１枚当たりの電池電圧値の変化分ΔＶ５［Ｖ］＝ΔＶ４［Ｖ／ｓｅｃ．］×ΔＴ２［ｓｅｃ．］を演算（第三の演算手段）する。この時のコントローラが検出した電池電圧値をＶ６［Ｖ］、予め設定されている低電圧設定値をＶＬＯＷ［Ｖ］、電池の残容量から求めた撮像が可能な枚数をＳ３［枚］とする。コントローラは、Ｓ３［枚］＝（Ｖ６［Ｖ］−ＶＬＯＷ［Ｖ］）／ΔＶ５［Ｖ］と演算（第四の演算手段）し、演算したＳ３［枚］を表示装置に表示する。これが第二の表示手段である。第五の実施例においては、第一の表示手段と第二の表示手段を切り替える表示切替装置があり、本願の請求項５に記載の撮像装置は、第一の表示手段と第二の表示手段のどちらか一方を表示装置に表示し、本願の請求項７に記載の撮像装置は、第一の表示手段と第二の表示手段のどちらか一方を表示装置に表示する、もしくは第一の表示手段と第二の表示手段を同時に表示装置に表示する。
【００５２】
図１３は、第六、第八の実施例のフローチャート図である。
【００５３】
第六の実施例は、撮像した画像を記録する記録媒体の空き容量をコントローラが検知し、検知した容量と記録しようとする画像の容量を比較し、記録媒体に記録可能な枚数を演算する。演算した記録媒体の空き容量による撮像可能枚数を表示装置に表示する。これが第一の表示手段である。また、電源スイッチをＯＮにするとコントローラが電池の電圧値を検出する。コントローラは常に電池を監視しており、単位時間当たりの電池電圧値の変化分ΔＶ４０［Ｖ／ｓｅｃ．］を演算（第一の演算手段）する。コントローラは、単位時間当たりの電池電圧値の変化分ΔＶ２０［Ｖ／ｓｅｃ．］と、ユーザーが予め設定した撮像１枚当たりの撮像平均所要時間ΔＴ２０［ｓｅｃ．］から、撮像１枚当たりの電池電圧値の変化分ΔＶ５０［Ｖ］＝ΔＶ４０［Ｖ／ｓｅｃ．］×ΔＴ２０［ｓｅｃ．］を演算（第三の演算手段）する。この時のコントローラが検出した電池電圧値をＶ６０［Ｖ］、予め設定されている低電圧設定値をＶＬＯＷ［Ｖ］、電池の残容量から求めた撮像が可能な枚数をＳ４［枚］とする。コントローラは、Ｓ４［枚］＝（Ｖ６０［Ｖ］−ＶＬＯＷ［Ｖ］）／ΔＶ５０［Ｖ］と演算（第四の演算手段）し、演算したＳ４［枚］を表示装置に表示する。これが第二の表示手段である。第六の実施例においては、第一の表示手段と第二の表示手段を切り替える表示切替装置がない本願の請求項６に記載の撮像装置であり、第一の表示手段と第二の表示手段を同時に表示装置に表示する。
【００５４】
第八の実施例は、撮像した画像を記録する記録媒体の空き容量をコントローラが検知し、検知した容量と記録しようとする画像の容量を比較し、記録媒体に記録可能な枚数を演算する。演算した記録媒体の空き容量による撮像可能枚数を表示装置に表示する。これが第一の表示手段である。また、電源スイッチをＯＮにするとコントローラが電池の電圧値を検出する。コントローラは常に電池を監視しており、単位時間当たりの電池電圧値の変化分ΔＶ４０［Ｖ／ｓｅｃ．］を演算（第一の演算手段）する。コントローラは、単位時間当たりの電池電圧値の変化分ΔＶ４０［Ｖ／ｓｅｃ．］と、ユーザーが予め設定した撮像１枚当たりの撮像平均所要時間ΔＴ２０［ｓｅｃ．］から、撮像１枚当たりの電池電圧値の変化分ΔＶ５０［Ｖ］＝ΔＶ４０［Ｖ／ｓｅｃ．］×ΔＴ２０［ｓｅｃ．］を演算（第三の演算手段）する。この時のコントローラが検出した電池電圧値をＶ６０［Ｖ］、予め設定されている低電圧設定値をＶＬＯＷ［Ｖ］、電池の残容量から求めた撮像が可能な枚数をＳ４［枚］とする。コントローラは、Ｓ４［枚］＝（Ｖ６０［Ｖ］−ＶＬＯＷ［Ｖ］）／ΔＶ５０［Ｖ］と演算（第四の演算手段）し、演算したＳ４［枚］を表示装置に表示する。これが第二の表示手段である。第八の実施例においては、第一の表示手段と第二の表示手段を切り替える表示切替装置があり、本願の請求項５に記載の撮像装置は、第一の表示手段と第二の表示手段のどちらか一方を表示装置に表示し、本願の請求項７に記載の撮像装置は、第一の表示手段と第二の表示手段のどちらか一方を表示装置に表示する、もしくは第一の表示手段と第二の表示手段を同時に表示装置に表示する。
【図面の簡単な説明】
【００５５】
【図１】本発明の第一の実施例を示す撮像装置であり、電池容量から撮像枚数表示をする撮像装置のブロック図（１）である。
【図２】本発明の第二の実施例を示す撮像装置であり、電池容量から撮像枚数表示をする撮像装置のブロック図（２）である。
【図３】本発明の第三の実施例を示す撮像装置であり、電池容量から撮像枚数表示をする撮像装置のブロック図（３）である。
【図４】本発明の第四の実施例を示す撮像装置であり、記録媒体の容量から撮像枚数表示をする撮像装置のブロック図である。
【図５】本発明の第五の実施例を示す撮像装置であり、第一、第二の表示手段を有する撮像装置のブロック図（１）である。
【図６】本発明の第六の実施例を示す撮像装置であり、第一、第二の表示手段を有する撮像装置のブロック図（２）である。
【図７】本発明の第七の実施例を示す撮像装置であり、第一、第二の表示手段を有する撮像装置のブロック図（３）である。
【図８】本発明の第八の実施例を示す撮像装置であり、第一、第二の表示手段を有する撮像装置のブロック図（４）である。
【図９】本発明の第四の実施例を示す撮像装置であり、第一の表示手段のフローチャートである。
【図１０】本発明の第二の実施例を示す撮像装置であり、第二の表示手段のフローチャート（１）である。
【図１１】本発明の第三の実施例を示す撮像装置であり、第二の表示手段のフローチャート（２）である。
【図１２】本発明の第五、第七の実施例を示す撮像装置であり、第一、第二の表示手段を持つ撮像装置のフローチャート（１）である。
【図１３】本発明の第六、第八の実施例を示す撮像装置であり、第一、第二の表示手段を持つ撮像装置のフローチャート（２）である。
【符号の説明】
【００５６】
１０  表示装置
１１  コントローラ
１２  電池
【図１】
2006173709.tif 000003
【図２】
2006173709.tif 000004
【図３】
2006173709.tif 000005
【図４】
2006173709.tif 000006
【図５】
2006173709.tif 000007
【図６】
2006173709.tif 000008
【図７】
2006173709.tif 000009
【図８】
2006173709.tif 000010
【図９】
2006173709.tif 000011
【図１０】
2006173709.tif 000012
【図１１】
2006173709.tif 000013
【図１２】
2006173709.tif 000014
【図１３】
2006173709.tif 000015